(57)【要約】 【課題】  防水性の向上を図る。【解決手段】  外周部がカバー取付部９をランプボデイ２の外側から閉塞する閉塞部として設けられたベース部１５と、ベース部１５から突出され挿入溝１２に挿入される環状の中側筒部１６と、中側筒部１６の外周側において中側筒部と離隔して設けられた環状の外側筒部１７と、中側筒部の内周側において中側筒部と離隔して設けられた環状の内側筒部１８とを備え、ランプボデイに取り付けられた状態において、外側筒部の内周面１７ａが第１の取付突部１０の外周面１０ａに密着され、中側筒部の内周面１６ａと内側筒部１８の外周面１８ａの少なくとも一方が第２の取付突部１１の外周面１１ａ又は内周面１１ｂに密着されるようにした。【選択図】        図２
2013187149.tif 000002
【特許請求の範囲】
【請求項１】
環状の第１の取付突部と前記第１の取付突部の内周側に位置された環状の第２の取付突部とを有し前記第１の取付突部と前記第２の取付突部の間の空間が挿入溝として形成されたカバー取付部が設けられると共に前記カバー取付部の内周側に光源が挿通される開口が形成されたランプボデイの前記カバー取付部に取り付けられるバックカバーであって、
外周部が前記カバー取付部を前記ランプボデイの外側から閉塞する閉塞部として設けられたベース部と、
前記ベース部から突出され前記挿入溝に挿入される環状の中側筒部と、
前記中側筒部の外周側において前記中側筒部と離隔して設けられた環状の外側筒部と、
前記中側筒部の内周側において前記中側筒部と離隔して設けられた環状の内側筒部とを備え、
前記ランプボデイに取り付けられた状態において、前記外側筒部の内周面が前記第１の取付突部の外周面に密着され、前記中側筒部の内周面と前記内側筒部の外周面の少なくとも一方が前記第２の取付突部の外周面又は内周面に密着されるようにした
ことを特徴とするバックカバー。
【請求項２】
前記外側筒部の内周面に環状の突条が設けられた
ことを特徴とする請求項１に記載のバックカバー。
【請求項３】
前記中側筒部の内周面の径が前記第２の取付突部の外周面の径以下にされた
ことを特徴とする請求項１又は請求項２に記載のバックカバー。
【請求項４】
前記中側筒部の内周面と前記内側筒部の外周面とがそれぞれ前記第２の取付突部の外周面と内周面に密着されるようにした
ことを特徴とする請求項１、請求項２又は請求項３に記載のバックカバー。
【請求項５】
環状の第１の取付突部と前記第１の取付突部の内周側に位置された環状の第２の取付突部とを有し前記第１の取付突部と前記第２の取付突部の間の空間が挿入溝として形成されたカバー取付部が設けられると共に前記カバー取付部の内周側に光源が挿通される開口が形成されたランプボデイの前記カバー取付部に取り付けられるバックカバーを備えた車輌用灯具であって、
前記バックカバーは、
外周部が前記カバー取付部を前記ランプボデイの外側から閉塞する閉塞部として設けられたベース部と、
前記ベース部から突出され前記挿入溝に挿入される環状の中側筒部と、
前記中側筒部の外周側において前記中側筒部と離隔して設けられた環状の外側筒部と、
前記中側筒部の内周側において前記中側筒部と離隔して設けられた環状の内側筒部とを備え、
前記ランプボデイに取り付けられた状態において、前記外側筒部の内周面が前記第１の取付突部の外周面に密着され、前記中側筒部の内周面と前記内側筒部の外周面の少なくとも一方が前記第２の取付突部の外周面又は内周面に密着されるようにした
ことを特徴とする車輌用灯具。
【発明の詳細な説明】
【技術分野】
【０００１】
本発明はバックカバー及び車輌用灯具に関する。詳しくは、ランプボデイの取付突部にバックカバーの複数の筒部を取り付けることにより防水性の向上を図る技術分野に関する。
【背景技術】
【０００２】
バックカバー及び車輌用灯具には、例えば、レンズとランプボデイによって灯具外筐が構成され、ランプボデイに光源が挿通される開口が形成されているものがある。
【０００３】
このようなバックカバー及び車輌用灯具には、ランプボデイに開口を閉塞するバックカバーが取り付けられ、ランプボデイに設けられた取付突部にバックカバーの筒部が嵌合されて防水性が図られるようにしたものがある（例えば、特許文献１参照）。
【０００４】
【特許文献１】特開平７―２４９３０５号公報
【発明の開示】
【発明が解決しようとする課題】
【０００５】
ところが、特許文献１に記載されたバックカバー及び車輌用灯具にあっては、ランプボデイに設けられた１つの取付突部のみにバックカバーの筒部が嵌合されており、十分な防水性が確保されないおそれがある。
【０００６】
そこで、本発明バックカバー及び車輌用灯具は、防水性の向上を図ることを課題とする。
【課題を解決するための手段】
【０００７】
バックカバーは、上記した課題を解決するために、環状の第１の取付突部と前記第１の取付突部の内周側に位置された環状の第２の取付突部とを有し前記第１の取付突部と前記第２の取付突部の間の空間が挿入溝として形成されたカバー取付部が設けられると共に前記カバー取付部の内周側に光源が挿通される開口が形成されたランプボデイの前記カバー取付部に取り付けられ、外周部が前記カバー取付部を前記ランプボデイの外側から閉塞する閉塞部として設けられたベース部と、前記ベース部から突出され前記挿入溝に挿入される環状の中側筒部と、前記中側筒部の外周側において前記中側筒部と離隔して設けられた環状の外側筒部と、前記中側筒部の内周側において前記中側筒部と離隔して設けられた環状の内側筒部とを備え、前記ランプボデイに取り付けられた状態において、前記外側筒部の内周面が前記第１の取付突部の外周面に密着され、前記中側筒部の内周面と前記内側筒部の外周面の少なくとも一方が前記第２の取付突部の外周面又は内周面に密着されるようにしたものである。
【０００８】
従って、少なくとも２つの異なる部分がランプボデイの第１の取付突部と第２の取付突部に密着する。
【０００９】
車輌用灯具は、上記した課題を解決するために、環状の第１の取付突部と前記第１の取付突部の内周側に位置された環状の第２の取付突部とを有し前記第１の取付突部と前記第２の取付突部の間の空間が挿入溝として形成されたカバー取付部が設けられると共に前記カバー取付部の内周側に光源が挿通される開口が形成されたランプボデイの前記カバー取付部に取り付けられるバックカバーを備え、前記バックカバーは、外周部が前記カバー取付部を前記ランプボデイの外側から閉塞する閉塞部として設けられたベース部と、前記ベース部から突出され前記挿入溝に挿入される環状の中側筒部と、前記中側筒部の外周側において前記中側筒部と離隔して設けられた環状の外側筒部と、前記中側筒部の内周側において前記中側筒部と離隔して設けられた環状の内側筒部とを備え、前記ランプボデイに取り付けられた状態において、前記外側筒部の内周面が前記第１の取付突部の外周面に密着され、前記中側筒部の内周面と前記内側筒部の外周面の少なくとも一方が前記第２の取付突部の外周面又は内周面に密着されるようにしたものである。
【００１０】
従って、バックカバーの少なくとも２つの異なる部分がランプボデイの第１の取付突部と第２の取付突部に密着する。
【発明の効果】
【００１１】
本発明バックカバーは、環状の第１の取付突部と前記第１の取付突部の内周側に位置された環状の第２の取付突部とを有し前記第１の取付突部と前記第２の取付突部の間の空間が挿入溝として形成されたカバー取付部が設けられると共に前記カバー取付部の内周側に光源が挿通される開口が形成されたランプボデイの前記カバー取付部に取り付けられるバックカバーであって、外周部が前記カバー取付部を前記ランプボデイの外側から閉塞する閉塞部として設けられたベース部と、前記ベース部から突出され前記挿入溝に挿入される環状の中側筒部と、前記中側筒部の外周側において前記中側筒部と離隔して設けられた環状の外側筒部と、前記中側筒部の内周側において前記中側筒部と離隔して設けられた環状の内側筒部とを備え、前記ランプボデイに取り付けられた状態において、前記外側筒部の内周面が前記第１の取付突部の外周面に密着され、前記中側筒部の内周面と前記内側筒部の外周面の少なくとも一方が前記第２の取付突部の外周面又は内周面に密着されるようにしたことを特徴とする。
【００１２】
従って、少なくとも２つの異なる部分がランプボデイの第１の取付突部と第２の取付突部に密着するため、防水性の向上を図ることができる。
【００１３】
請求項２に記載した発明にあっては、前記外側筒部の内周面に環状の突条が設けられている。
【００１４】
従って、複数の突条が第１の取付突部の外周面に押し付けられるため、一層の防水性の向上を図ることができる。
【００１５】
請求項３に記載した発明にあっては、前記中側筒部の内周面の径が前記第２の取付突部の外周面の径以下にされている。
【００１６】
従って、中側筒部の内周面が第２の取付突部の外周面に確実に密着され、バックカバーによる防水を確実に行うことができる。
【００１７】
請求項４に記載した発明にあっては、前記中側筒部の内周面と前記内側筒部の外周面とがそれぞれ前記第２の取付突部の外周面と内周面に密着されるようにしている。
【００１８】
従って、外側筒部の内周面が第１の取付突部の内周面に密着されることに加え、中側筒部の内周部と外周部が第２の取付突部に密着されて異なる３つの面がカバー取付部に密着されるため、バックカバーの防水性能の一層の向上を図ることができる。
【００１９】
本発明車輌用灯具は、外周部が前記カバー取付部を前記ランプボデイの外側から閉塞する閉塞部として設けられたベース部と、前記ベース部から突出され前記挿入溝に挿入される環状の中側筒部と、前記中側筒部の外周側において前記中側筒部と離隔して設けられた環状の外側筒部と、前記中側筒部の内周側において前記中側筒部と離隔して設けられた環状の内側筒部とを備え、前記ランプボデイに取り付けられた状態において、前記外側筒部の内周面が前記第１の取付突部の外周面に密着され、前記中側筒部の内周面と前記内側筒部の外周面の少なくとも一方が前記第２の取付突部の外周面又は内周面に密着されるようにしたことを特徴とする。
【００２０】
従って、少なくとも２つの異なる部分がランプボデイの第１の取付突部と第２の取付突部に密着するため、防水性の向上を図ることができる。
【発明を実施するための最良の形態】
【００２１】
以下に、本発明バックカバー及び車輌用灯具を実施するための最良の形態について添付図面を参照して説明する。
【００２２】
尚、以下に示す実施の形態は、本発明バックカバー及び車輌用灯具をヘッドランプに適用し、本発明バックカバーをこのヘッドランプに設けられたバックカバーに適用したものである。尚、車輌用灯具及び本発明バックカバーはヘッドランプ及びこれに設けられたバックカバーに限られることはなく、例えば、テールランプ、ストップランプ、コーナーリングランプ、フォグランプ、ハザードランプ、ターンシグナルランプ、ポジションランプ、クリアランスランプ、バックランプ、テールランプやストップランプ等の複数のランプが組み合わされたコンビネーションランプ等の他の各種のランプ及びこれらの各種のランプに設けられるバックカバーにも適用することができる。
【００２３】
車輌用灯具１は、図１に示すように、前方に開口されたランプボデイ２とランプボデイ２の開口面を閉塞するレンズ３とを備えている。
【００２４】
ランプボデイ２とレンズ３によって灯具外筐４が構成され、灯具外筐４の内部空間が灯室５として形成されている。
【００２５】
灯室５にはランプユニット６が配置されている。ランプユニット６は、リフレクター７と、リフレクター７の後端部に配置された光源８とを有している。
【００２６】
ランプユニット６は図示しない光軸調整機構によってランプボデイ２に上下方向及び左右方向へ傾動可能に支持されている。光源８は灯具外筐４の内部に設けられた図示しない光源駆動回路から供給される駆動電流によって光を出射する。
【００２７】
ランプボデイ２は樹脂材料又は金属材料によって形成されている。ランプボデイ２の後端部には前後に貫通された開口２ａが形成され、ランプボデイ２における開口２ａの外周側の部分はカバー取付部９として設けられている。カバー取付部９は、図２に示すように、後方へ突出された環状の第１の取付突部１０と第１の取付突部１０の内周側に離隔して位置され後方へ突出された環状の第２の取付突部１１とを有し、第１の取付突部１０と第２の取付突部１１の間の空間が挿入溝１２として形成されている。
【００２８】
カバー取付部９の外周側には円弧状の庇部１３が第１の取付突部１０を上側から覆うように設けられている。庇部１３はカバー取付部９への上方からの水分の侵入を低減する機能を有している。
【００２９】
ランプボデイ２のカバー取付部９には開口２ａを閉塞するバックカバー１４が嵌合されて取り付けられる（図１及び図２参照）。
【００３０】
バックカバー１４は、例えば、ゴム材料等の弾性変形可能な材料によって形成され、前後方向を向く円板状のベース部１５とベース部１５の外周部からそれぞれ前方へ突出された中側筒部１６、外側筒部１７及び内側筒部１８とを有している。
【００３１】
ベース部１５は外周部がカバー取付部９をランプボデイ２の外側から閉塞する閉塞部１５ａとして設けられている。
【００３２】
中側筒部１６は円筒状に形成されている。中側筒部１６の厚みはランプボデイ２に設けられたカバー取付部９の挿入溝１２の幅より小さくされている。
【００３３】
外側筒部１７は円筒状に形成され、中側筒部１６の外周側において中側筒部１７と離隔して設けられている。外側筒部１７の内周面１７ａには複数の環状の突条１７ｂ、１７ｂ・・・が前後に離隔して設けられている。
【００３４】
内側筒部１８は円筒状に形成され、中側筒部１６の内周側において中側筒部１６と離隔して設けられている。
【００３５】
中側筒部１６と外側筒部１７の間の距離は第１の取付突部１０の厚みより大きくされている。中側筒部１６と内側筒部１８の間の距離は第２の取付突部１１の厚み以下にされている。中側筒部１６の内周面１６ａの径は第２の取付突部１１の外周面１１ａの径以下にされている。
【００３６】
尚、中側筒部１６、外側筒部１７及び内側筒部１８の形状は円筒状に限られることはなく、楕円状や矩形状等に形成されていてもよく、バックカバー１４がカバー取付部９に嵌合されて取り付けられる形状であればよい。
【００３７】
バックカバー１４がカバー取付部９に取り付けられた状態においては、外側筒部１７の内周面１７ａが第１の取付突部１０の外周面１０ａに密着される。従って、外側筒部１７の突条１７ｂ、１７ｂ、・・・が第１の取付突部１０の外周面１０ａに押し付けられる。また、中側筒部１６の内周面１６ａが第２の取付突部１１の外周面１１ａに密着され、内側筒部１８の外周面１８ａが第２の取付突部１１の内周面１１ｂに密着される。
【００３８】
尚、上記には、中側筒部１６の内周面１６ａと内側筒部１８の外周面１８ａが何れも第２の取付突部１１に密着される例を示したが、中側筒部１６の内周面１６ａ又は内側筒部１８の外周面１８ａのいずれか一方が第２の取付突部１１に密着される構成にすることも可能である。
【００３９】
また、上記には、外側筒部１７に突条１７ｂ、１７ｂ、・・・を設けた例を示したが、これに代えて又はこれに加えて中側筒部１６の外周面１６ｂに突条１７ｂ、１７ｂ、・・・と同様の突条が設けられていてもよい。この場合には中側筒部１６の外周面１６ｂが第１の取付突部１０の内周面１０ｂに密着され、中側筒部１６に設けられた突条が第１の取付突部１０の内周面１０ｂに押し付けられる。
【００４０】
以下に、バックカバーの変形例について説明する（図３参照）。
【００４１】
尚、変形例に係るバックカバー１４Ａは、上記したバックカバー１４と比較して、光源が挿通される開口部が形成されていること及び開口部の外周側の部分が屈曲部として設けられていることのみが相違する。従って、バックカバー１４と比較して異なる部分についてのみ詳細に説明をし、その他の部分についてはバックカバー１４における同様の部分に付した符号と同じ符号を付して説明は省略する。
【００４２】
バックカバー１４Ａはベース部１５Ａの中心部に光源８を挿通するための開口部１５ｂが形成されている。ベース部１５Ａの内周部は蛇腹状に形成された屈曲部１５ｃとして設けられている。バックカバー１４Ａには光源８が開口部１５ａに挿通された状態で取り付けられ、光源８の一部がベース部１５Ａの内周面に密着される。
【００４３】
以上に記載した通り、車輌用灯具１にあっては、バックカバー１４がランプボデイ２に取り付けられた状態において、外側筒部１７の内周面１７ａが第１の取付突部１０の外周面１０ａに密着され、中側筒部１６の内周面１６ａと内側筒部１８の外周面１８ａの少なくとも一方が第２の取付突部１１の外周面１１ａ又は内周面１１ｂに密着される。
【００４４】
従って、バックカバー１４、１４Ａの少なくとも２つの異なる部分がランプボデイ２の第１の取付突部１０と第２の取付突部１１に密着するため、防水性の向上を図ることができる。
【００４５】
また、バックカバー１４、１４Ａの中側筒部１６、外側筒部１７及び内側筒部１８が径方向に並んで設けられている。
【００４６】
従って、バックカバー１４、１４Ａの前後方向、即ち、径方向に直交する方向における薄型化を図ることができる。
【００４７】
さらに、バックカバー１４、１４Ａの薄型化により加工深さが浅くなるため、製造の容易化及び金型の製作コストを低減することができる。
【００４８】
さらにまた、バックカバー１４、１４Ａが薄型化されるため、バックカバー１４、１４Ａが撓み難くなり、バックカバー１４、１４Ａをカバー取付部９に安定した状態で取り付けることができると共にバックカバー１４、１４Ａのカバー取付部９からの脱落を防止することができる。
【００４９】
また、外側筒部１７の内周面１７ａに環状の複数の突条１７ｂ、１７ｂ、・・・が設けられている。
【００５０】
従って、複数の突条１７ｂ、１７ｂ、・・・が第１の取付突部１０の外周面１０ａに押し付けられるため、一層の防水性の向上を図ることができる。
【００５１】
さらに、中側筒部１６の内周面１６ａの径が第２の取付突部１１の外周面１１ａ以下にされているため、中側筒部１６の内周面１６ａが第２の取付突部１１の外周面１１ａに確実に密着される。
【００５２】
従って、バックカバー１４、１４Ａによる防水を確実に行うことができる。
【００５３】
さらにまた、中側筒部１６の内周面１６ａと内側筒部１８の外周面１８ａとがそれぞれ第２の取付突部１１の外周面１１ａと内周面１１ｂに密着されるようにした。
【００５４】
従って、外側筒部１７の内周面１７ａが第１の取付突部１０の内周面１０ｂに密着されることに加え、中側筒部１６の内周部１６ａと外周部１６ｂが第２の取付突部１１に密着されて異なる３つの面がカバー取付部９に密着されるため、バックカバー１４、１４Ａの防水性能の一層の向上を図ることができる。
【００５５】
尚、上記には、外側筒部１７に突条１７ｂ、１７ｂ、・・・を設けた例を示したが、バックカバー１４、バックカバー１４Ａにおいては突条１７ｂ、１７ｂ、・・・を設けない構成にすることも可能である。
【００５６】
上記した発明を実施するための最良の形態において示した各部の形状及び構造は、何れも本発明を実施するに際して行う具体化のほんの一例を示したものにすぎず、これらによって本発明の技術的範囲が限定的に解釈されることがあってはならないものである。
【図面の簡単な説明】
【００５７】
【図１】図２及び図３と共に本発明バックカバー及び車輌用灯具の最良の形態を示すものであり、本図は、車輌用灯具の縦断面図である。
【図２】ランプボデイのカバー取付部にバックカバーが取り付けられた状態を示す拡大断面図である。
【図３】バックカバーの変形例を示す拡大断面図である。
【符号の説明】
【００５８】
１…車輌用灯具、２…ランプボデイ、２ａ…開口部、９…カバー取付部、１０…第１の取付突部、１１…第２の取付突部、１１ａ…外周面、１１ｂ…内周面、１２…挿入溝、１４…バックカバー、１５…ベース部、１６…中側筒部、１６ａ…内周面、１６ｂ…外周面、１７…外側筒部、１７ａ…内周面、１７ｂ…突条、１８…内側筒部、１８ａ…外周面
【図１】
2013187149.tif 000003
【図２】
2013187149.tif 000004
【図３】
2013187149.tif 000005